(57)【要約】  【課題】  本発明は、家庭用汚水浄化槽のような小規模汚水浄化槽へ容易にリン除去装置が付帯させられることを目的とし、四ヶ月分程度の凝集剤を貯留できるとともに凝集剤の安定した供給ができ、小規模汚水浄化槽設置後の地上有効利用の妨げにならないリン除去装置収納容器、及び、この容器を備え処理水質の向上を図った小規模汚水浄化槽を提供することを目的とする。  【解決手段】  本発明は、リン除去剤を貯留する貯留タンクと、この貯留タンクに接続され貯留タンク内のリン除去剤を被処理水に添加する供給ポンプと、上記貯留タンク及び供給ポンプを収納する蓋を有した容器とを備えたリン除去装置収納容器である。  【選択図】  図１
2005211747.tif 000002
【特許請求の範囲】
【請求項１】
リン除去剤を貯留する貯留タンクと、この貯留タンクに接続され貯留タンク内のリン除去剤を被処理水に添加する供給ポンプと、上記貯留タンク及び供給ポンプを収納する蓋を有した容器とを備えたリン除去装置収納容器。
【請求項２】
請求項１に記載されるリン除去装置収納容器が、浄化槽の外壁に設置された小規模汚水浄化槽。
【請求項３】
請求項１に記載されるリン除去装置収納容器が、処理水の流出口を有する浄化槽の外壁に設置され、リン除去装置収納容器の蓋上面高さと、上記浄化槽のマンホールカバー高さとを同じ高さとした小規模汚水浄化槽。
【請求項４】
請求項２又は３において、浄化槽の内部が、上流より順に嫌気処理槽、好気処理槽、及び、濾過槽とを備え、好気処理槽にて好気処理された好気処理水を嫌気処理槽へと返送する返送管、又は、好気処理槽と濾過槽との間に設けた移流管が、供給ポンプと接続される小規模汚水浄化槽。
【発明の詳細な説明】
【技術分野】
【０００１】
本発明は、汚水中からリン成分を除去するリン除去装置の収納容器、及び、このリン除去装置の収納容器を備えた小規模汚水浄化槽に関する。
【背景技術】
【０００２】
生活系汚水中のリン成分除去を目的にした場合、鉄、アルミニウム、カルシウム等の多価イオンを汚水中に供給し、リン酸イオンと反応させることで固形物化し沈殿除去する、凝集沈殿法が多く用いられている。多価イオンを汚水中に供給する方法は、例えば、鉄、アルミニウム等の金属材を液中に対峙させて懸垂し、この金属材に電圧をかけて電流を流し、陽極から金属イオンを溶解させる電解法がある。また、別の方法としては、塩化第二鉄、ポリ硫酸第二鉄、ポリ塩化アルミニウム等の水溶液状の凝集剤を注入ポンプにより供給する凝集剤添加法がある。
【０００３】
前述した多価イオンを汚水中に供給する方法の中で、水溶液状の凝集剤を注入ポンプにより供給する凝集剤添加法を用いたリン除去型の浄化槽としては、例えば、上流側から順に、嫌気処理槽、好気処理槽、及び、好気処理水の貯留槽を配置させ好気処理水を嫌気処理槽へと返送する流路を設けた小規模浄化槽であり、この小規模浄化槽内の水面より上部位置に塩化第二鉄溶液の貯留容器を設置し、貯留容器のオリフィスから好気処理水を嫌気処理槽へと返送する流路に塩化第二鉄溶液を添加するものが提案されている。また、このような小規模浄化槽において、貯留容器のオリフィスから好気処理槽に塩化第二鉄を添加すること、更には、貯留容器をマンホール蓋の裏面に取り付けることも提案されている（特許文献１参照）。
【０００４】
また別の浄化槽として、上流側から順に流量調整部を有した嫌気処理槽、好気処理槽、及び、濾過槽を配置した排水処理装置とを備え、地上に凝集剤の貯留タンクと凝集剤の注入ポンプとを設置し、この注入ポンプの運転を流量調整部に設けた嫌気処理槽の水位検出センサからの情報により制御するものも提案されている（特許文献２参照）。
【特許文献１】特開平１１−９９３９６号公報
【特許文献２】特開２００３−１３６０８２号公報
【発明の開示】
【発明が解決しようとする課題】
【０００５】
家庭用汚水浄化槽のような小規模汚水浄化槽は、その維持管理を頻繁に行うことができないので、長期に亘って使用可能な量の凝集剤を貯留できる容器とする必要があり、例えば四ヶ月分程度の凝集剤を貯留可能な容器が望まれている。
【０００６】
凝集剤を貯留する容器は、凝集剤を貯留容器のオリフィスから微量滴下するとしても、貯留容器はかなり大きなものとなってしまう。この大きな貯留容器は、小規模汚水浄化槽の水位より上方となる部位に取り付けるとなると、設置スペースに余裕がなく、実質困難な場合が多い。ましてや、マンホール蓋の裏面に取り付けることは、維持管理性も含め更に厳しいものとなる。
【０００７】
貯留容器のオリフィスから凝集剤を滴下する場合、その滴下量が貯留容器内の水位変化によって変わってしまい、長期に亘って安定した滴下量を継続させることは難しい。
【０００８】
地上に凝集剤の貯留タンクと、凝集剤の注入ポンプとを設置する場合は、これらの設置スペースが必要となり、その物が地上に突出するため、小規模汚水浄化槽設置後の地上面の有効利用がしにくい問題がある。
【０００９】
本発明は、家庭用汚水浄化槽のような小規模汚水浄化槽へ容易にリン除去装置が付帯させられることを目的とし、長期間使用するだけの凝集剤を貯留できるとともに、凝集剤の安定した供給ができ、小規模汚水浄化槽設置後の地上有効利用の妨げにならないリン除去装置収納容器、及び、この容器を備え処理水質の向上を図った小規模汚水浄化槽を提供することを目的とする。
【課題を解決するための手段】
【００１０】
（１）本発明は、リン除去剤を貯留する貯留タンクと、この貯留タンクに接続され貯留タンク内のリン除去剤を被処理水に添加する供給ポンプと、上記貯留タンク及び供給ポンプを収納する蓋を有した容器とを備えたリン除去装置収納容器である。
（２）また、項（１）に記載されるリン除去装置収納容器が、浄化槽の外壁に設置された小規模汚水浄化槽である。
（３）また、項（１）に記載されるリン除去装置収納容器が、処理水の流出口を有する浄化槽の外壁に設置され、リン除去装置収納容器の蓋上面高さと、上記浄化槽のマンホールカバー高さとを同じ高さとした小規模汚水浄化槽である。
（４）更に、項（２）又は項（３）において、浄化槽の内部が、上流より順に嫌気処理槽、好気処理槽、及び、濾過槽とを備え、好気処理槽にて好気処理された好気処理水を嫌気処理槽へと返送する返送管、又は、好気処理槽と濾過槽との間に設けた移流管が、供給ポンプと接続される小規模汚水浄化槽である。
【発明の効果】
【００１１】
本発明のリン除去装置収納容器は、長期に亘り微小流量を安定して供給可能なポンプと、凝集剤の貯留タンクとを、収納容器内に収納し蓋で覆うことにより維持管理性がよく、家庭用の小規模汚水浄化槽に容易に適用できる。
【００１２】
また、本発明の小規模汚水浄化槽は、リン除去装置収納容器の蓋上面をマンホールカバーの上面と同じ高さになるようにしてリン除去装置収納容器を取り付けたので、施工性がよく、設置後に地上に突出する障害物がない。
【００１３】
更に、返送管又は移流管に流れる被処理水にリン除去剤を添加する場合には、リン酸イオンとの反応性を高めることができ、コロイド粒子等も凝集除去可能なことからリン除去及び処理水質を一層高めることができる。
【発明を実施するための最良の形態】
【００１４】
以下、図面を参照して本発明の実施例について説明する。
図１は、本発明のリン除去装置収納容器の１実施例であり、（ａ）は概略平面図を、（ｂ）は（ａ）に記載したＡ−Ａ概略断面図を示す。
リン除去収納容器１は、リン除去剤を貯留する貯留タンク２と、リン除去剤を供給する供給ポンプ３とを収納している。リン除去装置収納容器１は、貯留タンク２及び供給ポンプ３を維持管理する際に、タンク、ポンプ等を出し入れできるように、その上面に蓋４を設けている。蓋４は、オーリング等のシール部材を用いて、この蓋４が閉められている間に外部から水が入らないようにすることが好ましいが、基本的に、貯留タンク２及び供給ポンプ３が出し入れでき、水の進入を防止できる構造のものであれば特に限定されるものではない。
【００１５】
リン除去装置収納容器１は、供給ポンプ３に接続されるリード線５及びチューブ６を通す孔７、８を備えており、この孔７、８は外部から水が入らないようにシールしてある。本実施例では、リン除去装置収納容器１の左右に孔を設けているが、孔１つでリード線及びチューブの両方を取り出すようにしてもよい。
【００１６】
リン除去装置収納容器１の形状は、図１に示すような角形、円柱形状、多角柱状等、どのような形状であってもよいが、小規模汚水浄化槽の外壁への固定を考えると、角形とすることが好ましい。また、リン除去装置収納容器１は、供給ポンプ３が配置される部分の底面が、貯留タンク２が配置される部分の底面よりも、垂直方向において高くなるように形成してもよく、高くなるように架台等を用いて、その上に供給ポンプを載置してもよい。
リン除去装置収納容器１の材質は、防錆処理を施した金属、又は、合成樹脂を用いることができ、具体的には、ポリエチレン、ポリプロピレン、ジシクロペンタジエン、ポリ塩化ビニル、ポリエステル樹脂等の合成樹脂成形品を用いることが、耐食性、コストの観点より好ましい。
【００１７】
供給ポンプ３は、吸い込み側に貯留タンク２からリン除去剤を吸い込むためのチューブ１０が接続され、吐出側にリン除去剤を供給するチューブ６が接続されている。供給ポンプ３は、空運転を避けるための貯留タンク２内に水位センサを設け、これと連動させることが好ましい。リード線５は、孔７を通り外部の制御箱９に接続しているが、制御箱９はリン除去装置収納容器１内に取り付けてもよい。
【００１８】
供給ポンプ３は、貯留タンク２の容量をできる限り小さくするために流量が可変できる微少定量ポンプを用いることが好ましい。例えば、リン除去剤の供給能力として、０．０５〜０．５ｍＬ／ｍｉｎ、好ましくは０．０５〜０．３ｍＬ／ｍｉｎ、より好ましくは０．０５〜０．２ｍＬ／ｍｉｎである。これによって、仮にリン除去剤を４ヶ月分貯留するとした場合の貯留タンク２の容量は、０．５ｍＬ／ｍｉｎのとき約８７Ｌ、０．３ｍＬ／ｍｉｎのとき約５２Ｌ、０．２ｍＬ／ｍｉｎのとき約３５Ｌ、０．０５ｍＬ／ｍｉｎのとき約９Ｌでよいことになる。このような微少の定流量を持たせる供給ポンプ３には、例えばパルス発生器とパルスの周期設定器等で構成するパルスポンプを用いることができる。パルスポンプは、１パルスごとにソレノイド及びダイヤフラムを駆動させ、１往復動（１ストローク）毎に定容量のリン除去剤を吸い込み、吐出させるもので、ダイヤフラムの駆動で形成されるシリンダ容積とストローク数で１分間当りの供給量が決定できる。即ち、シリンダ容積を一定にしてストローク数を変えれば所望する流量が設定できる。例えば１ストローク当りの突出量を０．１ｍＬとして、1分間当りのストローク数を１とすれば０．１ｍＬ／ｍｉｎに設定することができる。
【００１９】
貯留タンク２は、リン除去剤を貯留するもので、その貯留容量は前記したようにリン除去剤の供給量と貯留日数で決定できるので、予め所望の容量で設計しておけばよい。貯留タンク２のリン除去剤が減少して補充する段階になったときには、貯留タンク２をリン除去剤が充填されている別の貯留タンク２と交換してもよく、貯留タンク２にリン除去剤を補充してもよい。貯留タンク２は角型、円筒型でもよく、またその材質は金属製でもよいが、リン除去剤が多くは酸性であるので、腐食のないポリエチレン、ポリプロピレン、ポリ塩化ビニル、ジシクロペンタジエン等の合成樹脂製が好ましい。
【００２０】
リン除去剤としては、リン酸イオンと反応してフロックを形成する金属塩が好ましく、例えば、塩化第二鉄、ポリ硫酸第二鉄、ポリ塩化アルミニウム等の凝集剤を用いることができる。使用形態としては、水溶液等の溶液状が好ましく、これら凝集剤は市販されているものを原液のまま用いてもよく、希釈して用いてもよい。
【００２１】
次に前記したリン除去装置収納容器を備える小規模汚水浄化槽について説明する。図２はリン除去装置収納容器を備える小規模汚水浄化槽の１実施例を示す概略平面図、図３は図２のＢ−Ｂ面における概略断面図、図４は図２のＣ−Ｃ面における概略断面図である。
【００２２】
リン除去装置収納容器１は、蓋４の上面と小規模汚水浄化槽１５を維持管理するために設けているマンホ−ルカバー１６の上面とが同じ高さになるようにして小規模汚水浄化槽１５の外壁に取り付けている。リン除去装置収納容器１は、本実施例では小規模汚水浄化槽１５の放流口２３側に取り付けているが、流入口２４側、又は、小規模汚水浄化槽１５の長辺となる外周壁に取り付けることもできる。尚、製造工場でリン除去装置収納容器１を小規模汚水浄化槽１５に取り付けて出荷する場合には、トラックへの積載効率等から放流口２３側または流入口２４側に取り付けることが好ましく、設置場所で取り付ける場合には、放流口２３側、流入口２４側、小規模汚水浄化槽１５の長辺となる外周壁に取り付けてもよい。リン除去装置収納容器１を小規模汚水浄化槽１５の外壁に取り付ける場合、接着、オーバーレイ、固定具による締め付け等の手段を用いることができるが、いずれの手段を用いてもよく固定できればよい。より具体的には、図４に示すフランジ４２に台を設け、この台の上にリン除去装置収納容器を載置する方法、フランジ４２に固定具を設け、この固定具よりリン除去装置収納容器を固定する方法等がある。
【００２３】
小規模汚水浄化槽１５の水位より上方の位置の外壁には、リン除去装置収納容器１からのチューブ６を通す孔３９を設けているが、孔３９はチューブ６を通した後で水や土が浸入しないようにシールをすることが好ましい。また、小規模汚水浄化槽１５内の所定の部位へリン除去剤が供給できるように別のチューブ２５を配設して、孔３９の部位に接続具を外側へ臨ませておき、この接続具にチューブ６を接続させるようにしてもよい。
【００２４】
小規模汚水浄化槽１５は、上流側から嫌気処理槽１７、１８、好気処理槽１９、濾過槽２０、消毒槽２６を配置している。リン除去剤は、好気処理槽１９から濾過槽２０へと被処理水を移送する移流管２１の移流口から添加しているが、好気処理槽１９、好気処理槽１９で処理された処理水を嫌気処理槽１７、１８へ返送する返送管２２、嫌気処理槽１７、１８に供給するようにしてもよい。リン除去剤の添加は、除去したリン成分が、嫌気処理槽の底部に沈殿するようにすることが好ましく、これは、嫌気処理槽の底部に堆積した汚泥等を定期的に抜き取る作業を行う際についでに引き抜くことができることによる。リン除去剤の添加場所は、限定されるものでなく、任意の箇所に添加してよいが、リン成分が嫌気処理槽の底部に沈殿することになる箇所に添加することが好ましく、具体的には、他の槽から嫌気処理槽へと被処理水を移流させる管の途中、他の槽から嫌気処理槽へと被処理水を移送する管の流出口、この流出口から流出する被処理水の落下箇所直上等から添加することができ、このような箇所に添加すると、微量滴下するリン除去剤が充分に撹拌されやすく好ましい。
【００２５】
ここで、小規模汚水浄化槽１５を更に詳しく説明すると、嫌気処理槽は、第一の嫌気処理槽１７と第二の嫌気処理槽１８とで構成され、嫌気処理槽１７には、流入口２４が設けられている。また、流入口２４の下方には、上部及び下部が開口する箱状の流入バッフル４０が設けられ、流入口２４と反対側の仕切り壁には移流管２７（若しくは移流口）が設けられている。第一の嫌気処理槽１７は、流入する汚水中の沈降しやすい固形物を沈殿分離させ、これを槽底部で濃縮貯留させる。このとき、槽底部に貯留する汚泥の一部は嫌気的生物反応によってスカムとなり、浮上して槽上部にて貯留する。また、濾床２８では、嫌気的生物反応を進行させる。
【００２６】
第二の嫌気処理槽１８は、第一の嫌気処理槽１７と同様な処理機能を持たせ、スカム化による槽上部での汚泥貯留、濾床２９での有機物分解、及び、槽底部に沈殿した汚泥の貯留を行う。好気処理槽１９側の仕切り壁には、移流管３１が設けられ、この移流管３１内には移送ポンプ３２が取り付けられている。以上の嫌気処理槽（第一の嫌気処理槽１７、第二の嫌気処理槽１８）にて、有機物の分解に伴い被処理水に含まれる窒素分の多くはアンモニア態窒素に転換される。尚、濾床２８及び濾床２９は、必ずしも必要なものでなく、取り除くこともできる。
【００２７】
第一の嫌気処理槽１７及び第二の嫌気処理槽１８のそれぞれの上部には、流入する汚水の変動を緩和させ次槽へ移流させるために、液水準が最高水位（Ｈ．Ｗ．Ｌ）及び最低水位（Ｌ．Ｗ．Ｌ）の間で変動可能な流量調整部３０を設けている。この場合、第一の嫌気処理槽１７と第二の嫌気処理槽１８との水位は、汚水の流入量が移送ポンプ３２の送液量よりも多いか少ないかによってＬ．Ｗ．ＬとＨ．Ｗ．Ｌとの間を変動する。小規模汚水浄化槽１５は、流量調整部３０を設けることにより、汚水の流入量が平均化され、嫌気処理槽（第一の嫌気処理槽１７、第二の嫌気処理槽１８）、好気処理槽１９、濾過槽２０等の、各槽のそれぞれの機能は良好に発揮される。尚、移送ポンプ３２は、本実施例ではブロワ３３から送気される空気を用いるエアリフトポンプであるが、密閉容器に空気を圧送させる間欠定量ポンプ、電動による水中ポンプ等を用いることもできる。
【００２８】
好気処理槽１９は、曝気するための散気管３４を底部に配置し、ブロワ３３から送気された空気を噴出させる。また、好気処理槽１９は、微生物付着材（担体、微生物担体、接触材、接触濾材ともいう）を充填した床を形成している。ここで、微生物付着材を充填した床は、微生物付着材が噴出する空気によって液と共に流動する流動床、液のみが動く固定床、又は、流動床と固定床の両方を組み込んだものであってもよい。好気処理槽１９は、曝気を行い、（微生物が付着している）微生物付着材と液とが十分に混ざるようにし、あるいは、微生物付着材と液とが積極的に接触するようにし、これによって有機物を酸化・分解し、アンモニア態窒素が硝化し、リン分は正リン酸（リン酸イオン）になる。
【００２９】
微生物付着材の形状は、板状、網板状、ヘチマ状、多孔質状、筒状、棒状、骨格球状、紐状、更には粒状、不定形な塊状、立方体状、繊維塊状等の種々の形状に加工したものを用いることができる。流動床には、これら微生物付着材のうち、比較的小さく流動しやすい形状のものが好ましく用いられ、また、固定床には、付着する微生物や粒子等によって閉塞しにくく固定しやすい形状のものが好ましく用いられる。微生物付着材の材質は、塩化ビニリデン、ポリビニルフォルマール、ポリウレタン、メラミン樹脂等の合成樹脂製加工物、セラミックス、珪砂等の無機製加工物、アンスラサイト等の化石加工物、活性炭等で、比重が約１又は１以上のもの、また、ポリエチレン、ポリプロピレン等のポリオレフィン系樹脂、ポリスチレン等で、比重が約１又は１以下のもののいずれも用いることができる。
【００３０】
好気処理槽１９内の一画には、移流管２１（若しくは移流口）及び濾過槽２０が配置されている。移流管２１は、底部付近に好気処理槽１９の微生物付着材を流出させないようにメッシュ、スリット等の形状からなる開口部４１を設け、また上部も開口させ、水位となる部位に濾過槽２０への移流口を設けている。移流管２１には、好気処理槽１９にて処理した好気処理水の一部を、第一の嫌気処理槽１７へと戻す返送ポンプ３５を立設している。返送ポンプ３５と第一の嫌気処理槽１７とは、返送管２２で接続させている。返送管２２を設けるのは、返送ポンプ３５で好気処理水を返送させることにより、好気処理槽１９内に浮遊しているＳＳ又は沈殿しやすいＳＳを引抜くことができることや、硝酸態窒素がある場合には第一の嫌気処理槽１７、第二の嫌気処理槽１８にて生物的作用によって脱窒素できるからである。返送ポンプ３５からの処理水の返送は、連続であっても間欠であってもよい。尚、返送ポンプ３５は、本実施例ではブロワ３３から送気するエアリフトポンプを示したが、密閉容器に空気を圧送させる間欠定量ポンプや電動ポンプ等を用いることもできる。
【００３１】
上記のような実施例において、リン除去剤を好気処理槽１９又は移流管２１に供給（注入）すると、リン除去剤中の多価金属（鉄、アルミニウム等）イオンとリン酸イオンとが反応して不溶性若しくは難溶性の凝集塊（フロック）を生成して、これが処理水と共に返送ポンプ３５によって第一の嫌気処理槽１７へと移送され、汚泥として蓄積される。即ち、これによって汚水中からリンが除去できる。リン除去剤は、返送管２２に供給しても同様である。尚、この場合には、返送管２２の上部が開放されている掃除口に供給してもよい。リン除去剤の必要供給量は、リン酸イオン濃度によって決定できるので予め設定しておくか、リン酸イオン濃度を測定してから設定してもよい。リン除去剤を供給することによって、リンの凝集以外に存在するコロイド粒子も凝集させることができ、第一の嫌気処理槽１７への移送、または濾過槽２０で捕捉除去できるので、処理水質の向上に一層寄与する。
【００３２】
濾過槽２０は、移流してくる好気処理水に存在または残留するＳＳ（浮遊物質）を捕捉するための濾材を充填した濾層を有し、その濾層の下方又は下部には、濾層を洗浄するための散気管３６を配置している。また、濾過槽２０の底部には、洗浄時に洗浄排水を引き抜くためのエアリフトポンプ３７も配置されている。本実施例では、通常時の水流れ方向は下向流としているが、上向流とすることもできる。尚、濾過槽２０では、好気処理槽１９から持ち越される溶存酸素の存在により、好気的生物処理も進行する。散気管３６及びエアリフトポンプ３７には、ブロワ３３からの空気が送気される。散気管３６及びエアリフトポンプ３７は、空気源を別のブロワとしてもよい。また、エアリフトポンプ３７の代わりに電動ポンプを用いてもよい。
【００３３】
濾過槽２０内の移流管３８（若しくは移流口）の後流には、消毒槽２６があり、この消毒槽２６には放流口２３を臨ませて設けている。
【００３４】
次に小規模汚水浄化槽の運転方法を説明する。
（通常時運転）
流入汚水は、図２中の実線矢印で示すとおり、流入口２４から第一の嫌気処理槽１７に入り、そこで固液分離及び嫌気的生物処理が行われる。ここを通過した移流液は、第二の嫌気処理槽１８に入り、さらに固液分離及び嫌気的生物処理が進む。また、流量調整部３０において、第一の嫌気処理槽１７及び第二の嫌気処理槽１８へ流入する汚水量の変動を吸収・緩和しながら、汚水を移送ポンプ３２で次の好気処理槽１９へ定量的に移送する。
【００３５】
好気処理槽１９に流入する水は、散気管３４から吐出される空気及び微生物付着材によって、好気的生物分解を受ける。分解された汚水中の有機物の一部は、微生物に転換されつつ微生物付着材に付着し、一部は液中に浮遊してＳＳとして存在する。好気処理槽１９からの好気処理水は、移流管２１の下部の開口部から流入して移流管２１に入る。ここでは、供給ポンプ３からリン除去剤が供給され、リン酸イオンと反応してフロックが形成される。この好気処理水は、一部が返送ポンプ３５によって連続又は間欠的に返送管２２を介して第一の嫌気処理槽１７に返送される。残り分の好気処理水は移流管２１の上部の移流口から濾過槽２０へ入る。
【００３６】
濾過槽２０では、移流水（好気処理水）中のＳＳが捕捉除去されるとともに、生物的処理も進む。有機物及びＳＳが除去された移流水は、移流管３８から消毒槽２６を経て放流口２３から処理済み水として放流される。ここで、運転を長時間続けると、濾過槽２０は濾層中にＳＳが蓄積して通水抵抗が高まり所定の通水量が得られなくなったり、又はＳＳ捕捉能力が低下してＳＳがリーク（流出）する。そこで、このような状態になる前に濾過槽２０の洗浄を行う。
【００３７】
（濾過槽の洗浄運転）
濾過槽２０の水位が所定水位まで上昇するか、又はタイマー設定した所定時刻が来ると洗浄運転を開始させる。ここで、タイマー設定の場合、洗浄運転は汚水の流入の少ない時間帯、例えば、一般家庭では１４時頃〜１６時頃、１時頃〜５時頃、１０頃〜１１時頃に設定するとよい。この時間帯では、通常、流量調整部３０の水位が最低水位付近にあるため、濾過槽２０の洗浄排水を受け入れられる状態にあるからである。洗浄にあたっては、先ず、散気管３６から空気を吐出させ、濾過槽２０における濾材を撹乱させＳＳを剥離させる。このとき、エアリフトポンプ３７を稼動させて、洗浄排水を濾過槽２０の底部から引き抜き、返送管２２を介して第一の嫌気処理槽１７に移送させる。この際、好ましくは、洗浄排水の全量を引き抜く。なお、濾過槽２０の洗浄は、所定時間後に散気管３６からの空気吐出及びエアリフトポンプ３７を停止させることで終了する。以上の洗浄運転は、一日に１回または複数回を行う。
【図面の簡単な説明】
【００３８】
【図１】本発明のリン除去装置収納容器の１実施例を示し、（ａ）は概略平面図、（ｂ）は（ａ）のＡ−Ａ面における概略断面図。
【図２】本発明のリン除去装置収納容器を備える小規模汚水浄化槽の１実施例を示した概略平面図。
【図３】図２に示す小規模汚水浄化槽のＢ−Ｂ面における概略断面図。
【図４】図２に示す小規模汚水浄化槽のＣ−Ｃ面における概略断面図。
【符号の説明】
【００３９】
１…リン除去装置収納容器、２…貯留タンク、３…供給ポンプ、４…蓋、５…リード線、６…チューブ、７…孔、８…孔、９…制御箱、１０…チューブ、１５…小規模汚水浄化槽、１６…マンホールカバー、１７…第一の嫌気処理槽、１８…第二の嫌気処理槽、１９…好気処理槽、２０…濾過槽、２１…移流管、２２…返送管、２３…放流口、２４…流入口、２５…チューブ、２６…消毒槽、２７…移流管、２８…濾床、２９…濾床、３０…流量調整部、３１…移流管、３２…移送ポンプ、３３…ブロワ、３４…散気管、３５…返送ポンプ、３６…散気管、３７…エアリフトポンプ、３８…移流管、３９…孔、４０…流入バッフル、４１…開口部、４２…フランジ
【図１】
2005211747.tif 000003
【図２】
2005211747.tif 000004
【図３】
2005211747.tif 000005
【図４】
2005211747.tif 000006